(57)【特許請求の範囲】
【請求項１】
先端に円柱状のストッパ（２Ｌ）を有するテープ（１Ｌ）を用意する工程と、
前記ストッパ（２Ｌ）が取り付けられる取付部品であって、前記ストッパ挿入用の溝（３２Ｌ）が形成された取付部品（３Ｌ）を用意する工程と、
前記ストッパ（２Ｌ）を前記溝（３２Ｌ）に差し込む工程とを有し、
前記先端にストッパ（２Ｌ）を有するテープ（１Ｌ）を用意する工程が、
前記ストッパ（２Ｌ）表面にテープ先端を巻き付けて重なったテープ同士を固定する工程からなる方法において、
前記ストッパ（２Ｌ）は金属製であり、左右末端に抜け止め（２２）が形成されていて、中央部（２３）がテープの厚み分だけ細くなっているものである
ことを特徴とするテープ先端に取付部品（３Ｌ）を取り付ける方法。
【請求項２】
先端に円柱状のストッパ（２Ｌ）を有するテープ（１Ｌ）を用意する工程と、
前記ストッパ（２Ｌ）が取り付けられる取付部品であって、前記ストッパ挿入用の溝（３２Ｌ）が形成された取付部品（３Ｌ）を用意する工程と、
前記ストッパ（２Ｌ）を前記溝（３２Ｌ）に差し込む工程と、
前記諸工程により形成された、先端に前記取付部品を有するテープを取付対象物（６，７，７１，８）に固定する工程とを有し、
前記先端にストッパ（２Ｌ）を有するテープ（１Ｌ）を用意する工程が、
円柱状ストッパ（２Ｌ）表面にテープ先端を巻き付けて重なったテープ同士を固定する工程からなる方法において、
前記ストッパ（２Ｌ）は金属製であり、左右末端に抜け止め（２２）が形成されていて、中央部（２３）がテープの厚み分だけ細くなっているものである
ことを特徴とする、取付部品（３Ｌ）を先端に有するテープ（１Ｌ）を取付対象物（６，７，８）に連結する方法。
【請求項３】
前記取付部品（３Ｌ）がＤカンで、前記取付対象物がベルト（６）、カバン（７）、床のカーペット（８）、靴、壁紙、衣服のいずれかである請求項２記載の方法。
【発明の詳細な説明】
【技術分野】
【０００１】
本発明は、取付部品と取付対象物との連結方法に関する。「取付部品」とは、例えば、雌雄係止具、連結環、バックルなどであり、「取付対象物」とは、例えば、ベルト、衣服、靴紐、カバン、カバンの取っ手、等である。したがって、「取付部品と取付対象物」とは、例えば、バックルとベルト、連結環とカバン及びカバンの取っ手、Ｄ環と靴及び靴紐、等をいう。
【背景技術】
【０００２】
連結環などの取付部品を取付対象物に取り付けるとき、テープや紐（以下、「テープ」という）を介在させるのが普通である。従来、取付部品をテープに連結するとき、テープを連結環のテープ通し穴に通してループ状にして取り付けていた（例えば、下記特許文献１及び２参照）。
【特許文献１】特開２００３−２１０２３３
【特許文献２】実用新案登録第３０８６８２６号
【発明の開示】
【発明が解決しようとする課題】
【０００３】
上記従来発明では、テープをループ状にする必要があり、その分だけ分厚くなって体裁が悪くなっている。
【０００４】
本発明は、テープをループ状にすることなく、テープ先端に取付部品を取り付ける方法、及び、そのようにして形成された、先端に取付部品を有するテープを利用して取付対象物に取付部品を連結する方法を提供することを目的とする。また、その方法を具体的な商品に応用する実用例を提供することを目的とする。
【課題を解決するための手段】
【０００５】
本発明のテープ先端に取付部品を取り付ける方法は、先端にストッパを有するテープを用意する工程と、テープの先端に取り付けられる取付部品であって、前記ストッパ挿入用の溝が形成された取付部品を用意する工程と、前記テープの前記ストッパを前記溝に差し込む工程を有することを特徴とする。
【０００６】
また、取付部品を先端に有するテープを対象物に取り付ける方法は、先端にストッパを有するテープを用意する工程と、テープの先端に取り付けられる取付部品であって、前記ストッパ挿入用の溝が形成された取付部品を用意する工程と、前記テープの前記ストッパを前記溝に差し込む工程と、前記諸工程により形成された先端に取付部品を有するテープの後端部を取付対象物に固定する工程を有することを特徴とする。
【発明の効果】
【０００７】
本発明によれば、テープをループ状にすることなく、テープ先端に容易に取付部品を取り付けることができる。そのため、最終的に取付部品を取付対象物に取り付けたときでも、見た目がスッキリする。
【発明を実施するための最良の形態】
【０００８】
ストッパとして合成樹脂を使用するときには、本発明で使用するテープ生地としては、溶融されることなく溶融樹脂が付着又は透過する生地であることが必要で、天然繊維又は合成繊維からなる織物や編物、合成樹脂からなる細幅シートである。天然繊維としては、綿、麻、生糸、羊毛などがあり、合成樹脂としては、ナイロン、ポリエステル、アクリル、ポリプロピレン、アセテート、レーヨンなどがある。
【０００９】
ストッパとして合成樹脂を使用するとき、テープに対して射出成形等により固着される。合成樹脂としては、熱可塑性樹脂、例えばポリアセタール溶融樹脂を使用することができる。ストッパの形状は、テープ先端に取付部品が取り付けられればどのようなものでもよいが、一般には成形が容易なテープに垂直方向に伸びる棒状のものが好ましい。
【００１０】
先端にストッパを有するテープを用意する工程は、好ましくは、ストッパの形状を有する型孔を２個若干の間隔を置いて設けた金型内にテープを供給し、前記型孔内に合成樹脂を射出してストッパとなる左右端部を２個同時に成形し、次に金型から成形品を取り出して、最後にテープに一体成形された２個の端部の間を切断してストッパ付きテープを形成する工程からなる。１回の切断で２個のストッパ付きテープ端部が効率よく得られるからである。
【００１１】
テープにストッパを形成するのに合成樹脂で直接射出成形する方法を使用せず、予め別の場所で成形された部品を使用することもできる。この方法では、前記先端にストッパを有するテープを用意する工程は、左右両端の少なくとも一方に抜け止めを有する円柱状ストッパの中央部にテープ先端を巻き付けて重なったテープ同士を固定する工程からなる。この方法では、テープに対して一定間隔を開けて射出成形するような作業が必要なくなり、製造コストを下げることができる。また、テープに対する射出成型法では、テープ生地の種類や幅に大きな制約があるが、予め別の場所で成形された部品を使用すればそのような制約は少なくなる。また、部品の素材は合成樹脂に限らず、金属も使用可能となる。
【００１２】
前記ストッパ挿入用の溝が形成された取付部品を用意する工程においては、前記溝は挿入側のみ開口し、反対側は閉鎖されていることが好ましい。すっぽりと抜け落ちないようにするためである。
【００１３】
さらに好ましいのは、ストッパを挿入した後で、挿入側の開口も閉鎖することである。
【００１４】
挿入側の開口を閉鎖する方法としては、例えば、ネジ蓋で閉鎖する方法や、予めストッパ末端に拡大部を設けておき、その拡大部を溝に指で押し込んで完全圧入することにより、出られなくする方法がある。
【００１５】
先端に取付部品を有するテープを取付対象物に固定するには、糸による縫着が一般的であるが、その他、熱溶着、接着剤による接着でもよい。
【００１６】
前記「取付部品」と前記「取付対象物」としては、例えば、次のようなものが挙げられる。
（ａ）取付部品がバックル（３Ｄ）で取付対象物がベルト（６）。
（ｂ）取付部品が連結環（３Ｅ）で、取付対象物がカバン（７）及びカバンの提げ手（７１）
（ｃ）取付部品が雌雄のバックル（３Ｆ，３Ｇ）で、取付対象物がベルト。
（ｄ）取付部品がＤ環（３Ｈ，３Ｌ）で、取付対象物が靴及び靴紐。
（ｅ）取付部品が表示プレート（３Ｊ）で、取付対象物が床のカーペット（８）、壁紙、衣服の何れか
（ｆ）取付部品が連結具（３Ｋ）で、取付対象物が２本のテープの相手側テープ。
【００１７】
以下、添付の図面に基づき、本発明の実施例を説明する。
【図面の簡単な説明】
【００１８】
【図１】テープ先端に取付部品を取り付ける方法の実施例１の説明図であり、（ａ）は結合前、（ｂ）は結合後の平面図である。
【図２】ストッパの固定方法を示す斜視図である。
【図３】ストッパの固定方法を示す斜視図である。
【図４】テープ先端にストッパを形成する方法の説明図である。
【図５】テープ先端にストッパを形成する方法の説明図である。
【図６】先端にストッパが形成されたテープの平面図である。
【図７】実施例２に係る革ベルトの斜視図である。
【図８】実施例３に係るカバンの斜視図である。
【図９】実施例４に係るバックルの斜視図である。
【図１０】実施例５に係る靴の斜視図である。
【図１１】実施例６に係る表示プレートの斜視図である。
【図１２】実施例７に係るテープ連結具の斜視図である。
【図１３】実施例８に係るテープ連結具の斜視図である。
【実施例１】
【００１９】
図１は、テープ１先端に取付部品３を取り付ける方法の実施例１の説明図であり、（ａ）は結合前、（ｂ）は結合後の平面図である。図２，３はストッパの固定方法を示す斜視図である。図４〜６はテープ先端にストッパを形成する方法の説明図である。
【００２０】
図１（ａ）に示すように、布製テープ１先端に合成樹脂製の棒状のストッパ２が形成されている。テープ１に取り付けられる「取付部品」（図１では「連結環３」）の本体３１には、前記ストッパ２が側面から挿入可能な溝３２が形成されている。この溝３２は、ストッパが挿入される円筒状の溝部分３３とテープが挿入される平板状の溝部分３４からなる。
【００２１】
溝３２は、ストッパ２を挿入させるため、挿入側側部３５は当然に開放されているが、他端３６は開放されている必要はない。むしろ、通り抜けて落ちてしまわないように予め閉鎖されている方が好ましい。
【００２２】
さらに、ストッパ２を挿入した後で、挿入側の開口３５も閉鎖することが好ましい。  挿入側の開口３５を閉鎖する方法としては、例えば、図２（ａ）（ｂ）に示すように、ネジ蓋３７で閉鎖する方法や、図３（ａ）（ｂ）に示すように、予めストッパ２末端に拡大部２１を設けておき、その拡大部２１を溝３２Ｃに指で押し込んで完全圧入することにより、出られなくする方法がある。
【００２３】
ストッパ２をテープ１先端に形成するには、一つ一つストッパをテープ先端に射出成形により設定してもよいが、好ましくは、連続形成法を用いる。図４〜６により説明すると次のとおりである。
【００２４】
まず、第４図に示すような上下金型４，５の中に連続供給装置により処理すべきテープ１を送り込む。上下金型４，５には成形すべきストッパに相当する形状の型孔４１，４２；５１，５２が２個若干の間隔を置いて設けられている。この実施例では、直線状の型孔が２本若干の間隔を置いて設けられている。この型孔に射出口（図示省略）から樹脂が射出される。成形が終ってから、上下金型４，５を分離し、テープ１を取り出すと、第５図の状態のストッパを有するテープ１が得られる。長いテープ１の所々にこのようなストッパ２を設ける。
【００２５】
続いて付着した２本の樹脂ストッパ２の間のテープ１を第５図の一点鎖線に沿って切断し、第６図のように、ストッパ２を両端部に有するテープ１を得ることができる。それぞれの端部が別のテープの端部となることが分かる。
【実施例２】
【００２６】
図７は実施例２であり、「取付部品」がバックル３Ｄで、「取付対象物」が革ベルト６である。この例では、革ベルト６の先端にバックル３Ｄを取り付けている。実施例１で作成したストッパ２Ｄ付きテープ１Ｄを上下革ベルト６に挟んで糸６１で縫い付け固定する。
【００２７】
なお、この実施例２では、ストッパ２Ｄの断面形状が円柱状ではなく、台形状である。
【００２８】
従来の革ベルトでは、ベルトをバックルに回して縫着していたが、この実施例の方法によれば、ベルトにループ部を形成する必要がなく、見た目がスッキリしたものとなる。
【実施例３】
【００２９】
図８は実施例３であり、「取付部品」が連結環３Ｅで、「取付対象物」がカバン７及び取っ手７１である。実施例１又は２で作成したストッパ２Ｅ付きテープの端部１Ｅをカバン本体７に縫い込む。連結環３Ｅにはカバンの取っ手７１が取り付けられる。
【００３０】
従来の取っ手７１では、取っ手末端をループ状にして連結環３Ｅに固定するが、この実施例の方法によれば、取っ手末端にループ部を形成する必要がなく、見た目がスッキリしたものとなる。
【実施例４】
【００３１】
図９は実施例４であり、「取付部品」が雌雄のバックル３Ｆ，３Ｇで、「取付対象物」がベルト（図示せず。実施例２の図７と同じ）である。実施例１又は２で作成したストッパ付きテープ１Ｆ，１Ｇをベルトに取り付ける。ベルト末端にループ部を形成する必要がなく見た目がスッキリしたものとなることは上記実施例と同じである。
【実施例５】
【００３２】
図１０は実施例５であり、「取付部品」がＤ環３Ｈで、「取付対象物」が靴紐である。実施例１で作成したストッパ付きテープ１Ｈを靴紐取付用のＤ環３Ｈに取り付ける。テープ末端にループ部を形成する必要がなく見た目がスッキリしたものとなることは上記実施例と同じである。さらに、テープ１Ｈに伸縮性を持たせることで、靴紐の締め付けを助けることができる。
【実施例６】
【００３３】
図１１は実施例６であり、「取付部品」が表示プレート３Ｊで、「取付対象物」が床のカーペット８や壁紙、衣服である。実施例１又は２で作成したストッパ２Ｊ付きテープ１Ｊを２本、床のカーペット８や壁紙、衣服等に固定し、２本の溝３２Ｊを有する表示プレート３Ｊを取り付ける。
【実施例７】
【００３４】
図１２は実施例７であり、「取付部品」が連結具３Ｋで、「取付対象物」が２本のテープの相手側のテープである。実施例１で作成したストッパ２Ｋ付きテープ１Ｋを２本用意して、端部同士を向かい合わせ、２本の溝３２Ｋを有する連結具３Ｋに差込むことにより、２本のテープ１Ｋを接続することができる。この要領で、テープを何本でも接続していくことができる。
【実施例８】
【００３５】
図１３は実施例８であり、「取付部品」がＤカン３Ｌで、「取付対象物」は図示していないが、前記実施例のようにカバン、ベルト、靴などに取付可能である。
【００３６】
今までの実施例１〜７と異なり、ストッパ２Ｌはテープに射出成型された合成樹脂ではなく、テープ先端が巻き付けられた金属製円柱である。このストッパ２Ｌは、図１３に示すように、左右末端に抜け止め２２が形成されていて、中央部２３がテープの厚み分だけ細くなっている。この中央部２３にテープ先端を巻き付け、テープ同士が重なったところで双方を糸２４により固定する。重なり部分を少なくするためテープがはみ出したら、余分なテープを挟みやカッターで切り取るのが好ましい。このようにして作成した（ａ）の状態のストッパ付きテープをＤカン３Ｌの溝３２Ｌに差し込む。
【００３７】
別の変形例では、図示しないが、テープ全体を二重にして使用することもできる。ストッパに対して必要な変更は、テープを通過させる溝３２Ｌを二重のテープが通過できる太さとするだけである。このとき、テープ同士が重なったところで双方を糸２４で固定する必要は必ずしもないが、そのようにしてもよい。この変形例では、はみ出した余分のテープ端部を切り取る必要がなくなると共に、テープ全体が二重となるので、強度が増すという効果が得られる。
【００３８】
今までの実施例１〜７と異なり、この実施例８では、ストッパ２Ｌの抜け止めのために、ストッパ進行側に蓋２５をして完成させ、（ｂ）の状態とする。このようにして形成したＤカン３Ｌは、前記実施例と同様に、カバン、ベルト、靴などの取付対象物に取り付けることができる。
【００３９】
この実施例８は、ストッパ２Ｌが金属製であるので、連結強度が強いという特徴がある。また、テープに対して射出成形するような作業が必要なくなり、製造コストを下げることができる。また、テープに対する射出成形法（実施例１〜７）では、テープ生地の種類や幅に大きな制約があるが、この実施例８では予め別の場所で成形された部品を使用するので、そのような制約はほとんどない。
【符号の説明】
【００４０】
１，１Ａ，１Ｃ，１Ｄ，１Ｅ，１Ｆ，１Ｇ，１Ｈ，１Ｊ，１Ｋ，１Ｌ テープ
２，２Ａ，２Ｃ，２Ｄ，２Ｅ，２Ｆ，２Ｇ，２Ｈ，２Ｊ，２Ｋ         樹脂ストッパ
２Ｌ    ストッパ
３     係止リング
３Ｄ   ベルト留め具
３Ｆ，３Ｇ    雌雄バックル
３Ａ，３Ｈ，３Ｌ     Ｄカン
３Ｊ   表示プレート
３Ｋ   連結具
６     革ベルト
７     カバン本体
８     カーペット
２１   拡大部
３２，３２Ｃ，３２Ｊ，３２Ｋ，３２Ｌ  溝
３３   円柱状溝部分
３４   平板状溝部分
３５   挿入側側部
３６   挿入側でない他端
３７   ネジ蓋
【図１】
0005422035.tif 000002
【図２】
0005422035.tif 000003
【図３】
0005422035.tif 000004
【図４】
0005422035.tif 000005
【図５】
0005422035.tif 000006
【図６】
0005422035.tif 000007
【図７】
0005422035.tif 000008
【図８】
0005422035.tif 000009
【図９】
0005422035.tif 000010
【図１０】
0005422035.tif 000011
【図１１】
0005422035.tif 000012
【図１２】
0005422035.tif 000013
【図１３】
0005422035.tif 000014